(57)【要約】【課題】画像表示装置の周囲が写り込んだ物体を表す画像を表示できる画像表示装置、画像表示システム、及び表示制御プログラムを提供する。【解決手段】画像表示装置１００は、物体を表す画像の画像データを取得する物体画像データ取得部１４０と、画像データで表される画像を表示する表示部と、表示部の周囲を撮影した撮影画像を表す画像データを取得する撮影画像データ取得部１２０と、画像データで表される物体に対する、撮影画像の写り込みを表す写込画像を、物体を表す画像に合成する写込画像合成部１５０と、写込画像合成部１５０が写込画像を合成した画像を表示するよう表示部を制御する表示制御部１６０と、を備える。【選択図】図３
2011164184.tif 000002
【特許請求の範囲】
【請求項１】
物体を表す画像の画像データを取得する物体画像データ取得手段と、
前記物体画像データ取得手段が取得した前記画像データで表される前記画像を表示する表示部と、
前記表示部の周囲を撮影した撮影画像の画像データを取得する撮影画像データ取得手段と、
前記物体画像データ取得手段が取得した前記画像データで表される前記物体に対する、前記撮影画像データ取得手段が取得した前記画像データで表される前記撮影画像の写り込みを表す写込画像を、前記物体を表す前記画像に合成する写込画像合成手段と、
前記写込画像合成手段が前記写込画像を合成した前記画像を表示するよう前記表示部を制御する表示制御手段と、を備えることを特徴とする画像表示装置。
【請求項２】
前記物体画像データ取得手段が取得する前記画像データで表される前記画像は、前記物体を立体的に表す立体画像であり、
前記写込画像合成手段は、前記撮影画像データ取得手段が取得した前記画像データで表される前記撮影画像を前記立体画像の背景画像とすると共に、前記物体画像データ取得手段が取得した前記画像データで表される前記物体に前記背景画像が写り込んだ前記写込画像を前記立体画像に合成することを特徴とする請求項１に記載の画像表示装置。
【請求項３】
前記撮影画像は、前記表示部の背面方向を撮影した画像であることを特徴とする請求項２に記載の画像表示装置。
【請求項４】
前記物体画像データ取得手段が取得した前記画像データで表される前記画像から、金属で構成された前記物体の部分を表す前記画像領域を特定する金属領域特定手段をさらに備え、
前記写込画像合成手段は、前記撮影画像データ取得手段が取得した前記画像データで表される前記撮影画像を、前記金属領域特定手段が特定した前記画像領域に合成することを特徴とする請求項１に記載の画像表示装置。
【請求項５】
コンピュータを、
物体を表す画像の画像データを取得する物体画像データ取得手段と、
前記物体画像データ取得手段が取得した前記画像データで表される前記画像を表示する表示部の周囲を撮影した撮影画像の画像データを取得する撮影画像データ取得手段と、
前記物体画像データ取得手段が取得した前記画像データで表される前記物体に対する、前記撮影画像データ取得手段が取得した前記画像データで表される前記撮影画像の写り込みを表す写込画像を、前記物体を表す前記画像に合成する写込画像合成手段と、
前記写込画像合成手段が前記写込画像を合成した前記画像を表示するよう前記表示部を制御する表示制御手段と、して機能させることを特徴とする表示制御プログラム。
【請求項６】
物体を表す画像の画像データを取得する物体画像データ取得手段と、
前記物体画像データ取得手段が取得した前記画像データで表される前記画像を表示する表示部と、
前記表示部の周囲を撮影する撮影手段と、
前記物体画像データ取得手段が取得した前記画像データで表される前記物体に対する、前記撮影手段が撮影した前記表示部の前記周囲を表す撮影画像の写り込みを表す写込画像を、前記物体を表す前記画像に合成する写込画像合成手段と、
前記写込画像合成手段が前記写込画像を合成した前記画像を表示するよう前記表示部を制御する表示制御手段と、を備えることを特徴とする画像表示システム。
【発明の詳細な説明】
【技術分野】
【０００１】
本発明は、画像を表示する画像表示装置及び画像表示システム、並びに画像の表示を制御する表示制御プログラムに関する。
【背景技術】
【０００２】
特許文献１には、センサによって近接物の近接が感知されると共に、カメラにより撮影された画像から顔認識処理によって人物の顔が認識された場合に、カメラによって撮影された画像を左右反転して表示する鏡像表示モードを実行する画像表示装置について開示されている。
【先行技術文献】
【特許文献】
【０００３】
【特許文献１】特開２００９−２０４８１７号公報
【発明の概要】
【発明が解決しようとする課題】
【０００４】
ここで、例えば、金属やガラス等の光を鏡面反射する物体には、物体の周囲に有る他の物体が写り込む。しかし、特許文献１に係る技術は、撮影された画像の鏡像を表示するだけで、画像表示装置の周囲が写り込んだ物体を表示することができなかった。
【０００５】
そこで、本発明は、このような点に鑑み、その目的とするところは、画像表示装置の周囲が写り込んだ物体を表す画像を表示できる画像表示装置、表示制御プログラム、及び画像表示システムを提供することにある。
【課題を解決するための手段】
【０００６】
上記目的を達成するため、本発明の第一の観点に係る画像表示装置は、
物体を表す画像の画像データを取得する物体画像データ取得手段と、
前記物体画像データ取得手段が取得した前記画像データで表される前記画像を表示する表示部と、
前記表示部の周囲を撮影した撮影画像の画像データを取得する撮影画像データ取得手段と、
前記物体画像データ取得手段が取得した前記画像データで表される前記物体に対する、前記撮影画像データ取得手段が取得した前記画像データで表される前記撮影画像の写り込みを表す写込画像を、前記物体を表す前記画像に合成する写込画像合成手段と、
前記写込画像合成手段が前記写込画像を合成した前記画像を表示するよう前記表示部を制御する表示制御手段と、を備えることを特徴としている。
【０００７】
上記目的を達成するため、本発明の第二の観点に係る表示制御プログラムは、
コンピュータを、
物体を表す画像の画像データを取得する物体画像データ取得手段と、
前記物体画像データ取得手段が取得した前記画像データで表される前記画像を表示する表示部の周囲を撮影した撮影画像の画像データを取得する撮影画像データ取得手段と、
前記物体画像データ取得手段が取得した前記画像データで表される前記物体に対する、前記撮影画像データ取得手段が取得した前記画像データで表される前記撮影画像の写り込みを表す写込画像を、前記物体を表す前記画像に合成する写込画像合成手段と、
前記写込画像合成手段が前記写込画像を合成した前記画像を表示するよう前記表示部を制御する表示制御手段と、して機能させることを特徴としている。
【０００８】
上記目的を達成するため、本発明の第三の観点に係る画像表示システムは、
物体を表す画像の画像データを取得する物体画像データ取得手段と、
前記物体画像データ取得手段が取得した前記画像データで表される前記画像を表示する表示部と、
前記表示部の周囲を撮影する撮影手段と、
前記物体画像データ取得手段が取得した前記画像データで表される前記物体に対する、前記撮影手段が撮影した前記表示部の前記周囲を表す撮影画像の写り込みを表す写込画像を、前記物体を表す前記画像に合成する写込画像合成手段と、
前記写込画像合成手段が前記写込画像を合成した前記画像を表示するよう前記表示部を制御する表示制御手段と、を備えることを特徴としている。
【発明の効果】
【０００９】
本発明に係る画像表示装置、表示制御プログラム、及び画像表示システムによれば、画像表示装置の周囲が写り込んだ物体を表す画像を表示できる。
【図面の簡単な説明】
【００１０】
【図１】第１の実施形態に係る画像表示装置の一構成例を表すハードウェア構成図である。
【図２】第１の実施形態に係る画像表示装置が実行する表示制御処理の一例を表すフローチャートである。
【図３】第１の実施形態に係る画像表示装置が有する機能の一例を表す機能ブロック図である。
【図４】図４（ａ）は、設置環境の一例を表す図であり、図４（ｂ）は、設置環境を表す撮影画像の一例を表す図であり、図４（ｃ）は、３Ｄ空間の一例を表す図であり、図４（ｄ）は、物体画像データで表される時計の一例を表す図であり、図４（ｅ）は、時計に写り込んだ撮影画像の一例を表す図である。
【図５】第２の実施形態に係る画像表示装置が実行する表示制御処理の一例を表すフローチャートである。
【図６】第２の実施形態に係る画像表示装置が有する機能の一例を表す機能ブロック図である。
【図７】図７（ａ）は、設置環境の他例を表す図であり、図７（ｂ）は、撮影画像の他例を表す図であり、図７（ｃ）は、物体画像データで表される二次元画像の一例を表す図であり、図７（ｄ）は、時計に写り込んだ撮影画像の他例を表す図である。
【発明を実施するための形態】
【００１１】
以下、本発明の実施形態について添付図面を参照しつつ説明する。
【００１２】
[第１の実施形態]
本発明の第１の実施形態に係る画像表示装置１００は、例えば、デジタルフォトフレームで構成される。画像表示装置１００は、画像表示装置１００の周囲が写り込んだ物体を表す立体画像を表示する。尚、画像表示装置１００は、例えば、デジタルテレビ又はモニタであっても構わない。
【００１３】
画像表示装置１００は、図１に示す様に、ＣＰＵ（Central Processing Unit）１００ａ、ＲＯＭ（Read Only Memory）１００ｂ、ＲＡＭ（Random Access Memory）１００ｃ、ハードディスク１００ｄ、メディアコントローラ１００ｅ、ＬＡＮ（Local Area Network）カード１００ｆ、タッチパネル１００ｇ、ビデオカード１００ｈ、ＬＣＤ（Liquid Crystal Display）１００ｉ、ＨＤＭＩ（High-Definition Multimedia Interface）カード１００ｊ、及びＣＣＤ（Charge Coupled Device）カメラ１００ｋで構成される。
【００１４】
ＣＰＵ１００ａは、ＲＯＭ１００ｂ又はハードディスク１００ｄに保存されたプログラムに従ってソフトウェア処理を実行することで、画像表示装置１００の全体制御を行う。ＲＡＭ１００ｃは、ＣＰＵ１００ａによるプログラムの実行時において、処理対象とする情報（つまり、データ）を一時的に記憶する。
【００１５】
ハードディスク１００ｄは、画像を表す画像データ、及び各種のアプリケーションプログラム（以下単に、アプリケーションという）を記憶している。ハードディスク１００ｄが記憶するアプリケーションは、システム時刻を示す時計を立体的に表すコンピューターグラフィックス（以下単に、３ＤＣＧ：Dimensional Computer Graphicsという）をＬＣＤ１００ｉに表示させる（以下単に、３Ｄ表示させるという）ガジェットプログラムである。
【００１６】
メディアコントローラ１００ｅは、例えば、フラッシュメモリカード等の記録媒体から画像データを読み出す。ＬＡＮカード１００ｆは、画像表示装置１００と接続する装置（又はインターネット）から画像データを受信（又はダウンロード）する。タッチパネル１００ｇは、ユーザーの操作に応じた操作信号を入力する。
【００１７】
ビデオカード１００ｈは、例えば、デジタルテレビ又はモニタ等の外部表示装置へＨＤＭＩカード１００ｊが接続しない場合に、ＬＣＤ１００ｉの表示を制御する。具体的には、ビデオカード１００ｈは、ハードディスク１００ｄ、メディアコントローラ１００ｅ、及びＬＡＮカード１００ｆがそれぞれ記憶、読み出し、及び受信した画像データで表される画像を、タッチパネル１００ｇが入力した操作信号に応じて表示するようＬＣＤ１００ｉを制御する。より具体的には、ビデオカード１００ｈは、ＣＰＵ１００ａの制御に従って、画像データを所定の順番に、所定の時間間隔で繰り返し表示するようＬＣＤ１００ｉを制御する。また、ビデオカード１００ｈは、ハードディスク１００ｄが記憶するアプリケーションの実行結果（つまり、時計）を表示するようＬＣＤ１００ｉを制御する。尚、ＨＤＭＩカード１００ｊは、外部表示装置に接続すると、外部表示装置へ上記表示内容を表すデジタル信号を出力する。
【００１８】
ＣＣＤカメラ１００ｋは、画像表示装置１００の周囲を撮影することで、画像表示装置１００の設置された環境（以下、設置環境という)を撮影すると共に、設置環境を撮影した撮影画像を表す画像データ（以下、撮影画像データという）を出力する。尚、画像表示装置１００の周囲とは、ＣＣＤカメラ１００ｋが撮影可能な範囲をいう。
【００１９】
次に、画像表示装置１００が、図１に示すハードウェアを用いて実行するソフトウェア処理について説明する。ＣＰＵ１００ａは、図２に示す様な表示制御処理を実行することで、図３に示す様な、撮影制御部１１０、撮影画像データ取得部１２０、アプリ実行部１３０、物体画像データ取得部１４０、写込画像合成部１５０、及び表示制御部１６０として機能する。
【００２０】
図２の表示制御処理が開始されると、図３の撮影制御部１１０は、図４（ａ）に示すような、画像表示装置１００の背面方向における周囲の様子を撮影するよう図１のＣＣＤカメラ１００ｋを制御する（ステップＳ０１）。尚、背面方向とは、画像表示装置１００の表示方向と本質的に逆の方向をいう。また、画像表示装置１００の表示方向とは、ＬＣＤ１００ｉの表面の法線方向をいう。尚、図４（ａ）に示すように、画像表示装置１００の背面方向には、太陽ＲＳＮ、雲ＲＣ１及びＲＣ２、雪だるまＲＳＭ、並びに地平線ＲＨが存在する。
【００２１】
次に、撮影画像データ取得部１２０は、ＣＣＤカメラ１００ｋが出力した、図４（ｂ）に示すような撮影画像を表す撮影画像データを取得する（ステップＳ０２）。尚、図４（ｂ）に示す撮影画像には、画像表示装置１００の背面方向にある太陽ＲＳＮを表す画像ＳＮ、雲ＲＣ１及びＲＣ２を表す画像Ｃ１及びＣ２、雪だるまＲＳＭを表す画像ＳＭ、並びに地平線ＲＨを表す画像Ｈが表されている。その後、図３のアプリ実行部１３０は、ハードディスク１００ｄが記憶するアプリケーションを実行すると共に、実行に伴って図１のＬＣＤ１００ｉに表示させる３ＤＣＧの物体を表す画像データ（以下単に、物体画像データという）を出力する（ステップＳ０３）。次に、物体画像データ取得部１４０は、アプリ実行部１３０が出力した物体画像データを取得する（ステップＳ０４）。
【００２２】
その後、写込画像合成部１５０は、図４（ｃ）に示す様に仮想的な立体空間（以下単に、３Ｄ空間という）の背景を表す画像（以下単に、背景画像という）を、撮影画像データで表される撮影画像にする（ステップＳ０５）。尚、背景は、３Ｄ空間において、物体画像データで表される物体（つまり、時計１７１）の背後に表示されるため、背景画像は、３Ｄ空間内に表される物体の背後に位置する。また、撮影画像は二次元画像であるため、背景画像も二次元画像である。
【００２３】
次に、写込画像合成部１５０は、背景画像を撮影画像にした３ＤＣＧに対してレイトレーシング処理を行う（ステップＳ０６）。尚、レイトレーシング処理とは、３Ｄ空間における仮想的な光線（つまり、レイ）の伝播経路（以下、軌跡という）を追跡することで現実世界における光の反射を仮想的に模擬する計算手法である。具体的には、写込画像合成部１５０は、図４（ｃ）に示すような３Ｄ空間の背景から発せられた又は背景で反射したレイの軌跡を、レイトレーシング処理を用いて算出する。つまり、背景から発せられたレイが、物体画像データで表される３ＤＣＧの物体で反射した場合に、どのような軌跡で受信点へ到達するのかを特定する。尚、受信点とは、３Ｄ空間において、３ＤＣＧの物体よりも前の所定の位置にある点をいう。
【００２４】
ここで、写込画像合成部１５０は、図４（ｂ）に示す様な撮影画像を背景画像とするため、上記のようにレイの軌跡を特定した結果に基づいて、図４（ｄ）に示す様な時計１７１（つまり、物体）の上面１７１ｐａ及び側面１７１ｐｂに対する、図４（ｅ）に示す様な背景画像の写り込みを表す写込画像１７１ｇａ及び１７１ｇｂを生成する。
【００２５】
ここで、時計１７１の上面１７１ｐａには、図４（ｂ）に示す背景画像とされた撮影画像に表された太陽ＲＳＮを表す画像ＳＮ、雲ＲＣ１及びＲＣ１をそれぞれ表す画像Ｃ１及びＣ２、雪だるまＲＳＭを表す画像ＳＭ、並びに地平線ＲＨを表す画像Ｈの内で、太陽ＲＳＮを表す画像ＳＮ、雲ＲＣ１を表す画像Ｃ１、及び雲ＲＣ２を表す画像Ｃ２が写り込む。しかし、時計１７１の上面１７１ｐａには、雪だるまＲＳＭを表す画像ＳＭ及び地平線ＲＨを表す画像Ｈが写りこまない。
【００２６】
これは、背景画像において、太陽ＲＳＮを表す画像ＳＮ、並びに雲ＲＣ１及び雲ＲＣ２を表す画像Ｃ１及びＣ２は、時計１７１の上面１７１ｐａよりも上に表されているため、写込画像合成部１５０は、太陽ＲＳＮを表す画像ＳＮ、並びに雲ＲＣ１及び雲ＲＣ２を表す画像Ｃ１及びＣ２から発せられたレイの軌跡は、時計１７１の上面１７１ｐａで反射した後に受信点に到達すると特定するからである。また、背景画像において、雪だるまＲＳＭを表す画像ＳＭ及び地平線ＲＨを表す画像Ｈは、時計１７１の上面１７１ｐａよりも下に表されているため、写込画像合成部１５０は、雪だるまＲＳＭを表す画像ＳＭ及び地平線ＲＨを表す画像Ｈから発せられたレイの軌跡は、時計１７１の上面１７１ｐａで反射せずに受信点に到達すると特定するからである。
【００２７】
つまり、写込画像合成部１５０は、背景画像の一部（つまり、太陽ＲＳＮを表す画像ＳＮと、雲ＲＣ１及びＲＣ１を表す画像Ｃ１及びＣ２とを表す部分）から発せられたレイの軌跡が、時計１７１の上面１７１ｐａで反射した後に受信点に到達する軌跡であると特定する。このため、写込画像合成部１５０は、画像ＳＮ、Ｃ１、及びＣ２を表す背景画像の一部の上下が逆さまになった鏡像を、時計１７１と背景画像との３Ｄ空間上の距離に基づいて縮小した画像を、時計１７１の上面１７１ｐａに対する写り込みを表す写込画像１７１ｇａとして生成する。太陽ＲＳＮを表す画像ＳＮ、並びに雲ＲＣ１及び雲ＲＣ２を表す画像Ｃ１及びＣ２から発せられたレイは、時計１７１の上面１７１ｐａにおける反射によって進行方向を上下逆に変更されるためである。
【００２８】
同様に、写込画像合成部１５０は、背景画像において、時計１７１の側面１７１ｐｂよりも背景に向かって左に表された雪だるまＲＳＭを表す画像ＳＭ及び画像Ｈの一部分から発せられたレイが時計１７１の表示方向に向かって右側面１７１ｐｂで反射した後に受信点に到達すると特定する。このため、写込画像合成部１５０は、時計１７１の側面１７１ｐｂに写り込む写込画像１７１ｇｂを、雪だるまＲＳＭと画像Ｈの当該部分との左右が逆さまになった鏡像として生成する。
【００２９】
その後、写込画像合成部１５０は、生成した写込画像１７１ｇａ及び１７１ｇｂを、それぞれ３ＤＣＧである時計１７１の上面１７１ｐａ及び側面１７１ｐｂにテクスチャー（つまり、３次元オブジェクト表面に貼り付けられる模様）として合成する。
【００３０】
ステップＳ０６が実行された後に、表示制御部１６０は、写込画像合成部１５０によって写込画像１７１ｇａを合成された３ＤＣＧを表すデジタル信号を図１のＬＣＤ１００ｉへ出力して、写込画像１７１ｇａ及び１７１ｇｂを合成された３ＤＣＧを表示するようＬＣＤ１００ｉを制御する（ステップＳ０７）。尚、表示制御部１６０は、外部表示装置が画像表示装置１００に接続する場合には、写込画像１７１ｇａ及び１７１ｇｂが合成された３ＤＣＧを表すデジタル信号を外部表示装置へ出力する。その後、画像表示装置１００は、上記ステップＳ０１から上記処理を繰り返す。
【００３１】
これらの構成によれば、例えば、時計１７１などの物体に対して背景画像を単純に合成して表示するのではなく、背景画像が表面に写り込んだ物体を３ＤＣＧで表示できる。このため、物体の表面に現実の世界が写り込んだような、より現実味のある（つまり、リアルな）３ＤＣＧを表示できる。またこれらの構成によれば、画像表示装置１００の背面方向における周囲の様子（つまり、設置環境）を撮影した撮影画像を背景にした３ＤＣＧを表示するため、画像表示装置１００で視界を遮られる背面方向の様子を物体に写り込ませて表示できる。このため、画像表示装置１００が存在せずに物体のみが存在するような表示をすることができ、画像表示装置１００を大きくしても画像表示装置１００がユーザーに与える圧迫感を軽減できる。
【００３２】
尚、画像表示装置１００は、画像表示装置１００の表示方向における周囲の様子を背景にした３ＤＣＧを表示しても良い。また画像表示装置１００は、画像表示装置１００の側面方向、上面方向、又は下面方向における周囲の様子を背景にした３ＤＣＧを表示しても良い。尚、側面方向とは、表示方向と実質的に垂直な方向であって、上面方向及び下面方向でない方向をいう。この構成によれば、画像表示装置１００のユーザーが画像表示装置１００の側面方向、上面方向、又は下面方向の様子を画像表示装置１００の表示方向から視認できない場合であっても、画像表示装置１００は、画像表示装置１００の側面方向、上面方向、又は下面方向の様子を背景として表示する。このため、ユーザーは、画像表示装置１００を用いて、画像表示装置１００の側面方向、上面方向、又は下面方向の様子を容易に視認できる。
【００３３】
[第２の実施形態]
次に、本発明の第２の実施形態について説明する。第２の実施形態に係る画像表示装置２００は、金属で構成された金属部分を有する物体を二次元画像を用いて表示する場合に、物体の金属部分を表す画像領域に画像表示装置２００の周囲を撮影した撮影画像を写り込ませて表示する。尚、第１実施形態と共通する部分については詳細な説明を省略する。
【００３４】
先ず、画像表示装置２００が、ハードウェアを用いて実行するソフトウェア処理について説明する。画像表示装置２００が備えるＣＰＵは、図５に示す様な表示制御処理を実行することで、図６に示す様な、撮影制御部２１０、撮影画像データ取得部２２０、アプリ実行部２３０、物体画像データ取得部２４０、金属領域特定部２４５、写込画像合成部２５０、及び表示制御部２６０として機能する。
【００３５】
図５の表示制御処理が開始されると、図６の撮影制御部２１０は、画像表示装置２００の表示方向における周囲の様子（つまり、設置環境）を撮影するよう画像表示装置２００が備えるＣＣＤカメラを制御する（ステップＳ１１）。次に、撮影画像データ取得部２２０は、ＣＣＤカメラが出力した撮影画像データを取得する（ステップＳ１２）。ここで、画像表示装置２００の表示方向には、図７（ａ）に示す様な、左手を挙げたユーザーが居る。このため、画像表示装置２００が設置環境を撮影して得た撮影画像データが表す撮影画像は、図７（ｂ）の様な、表示方向に向かって左側の手が挙がったユーザーを表す。
【００３６】
その後、アプリ実行部２３０は、アプリケーションを実行すると共に、図７（ｃ）に示す様な、金属の時針２７２ｈ及び分針２７２ｍを有する時計２７２を表す二次元画像の物体画像データを出力する（ステップＳ１３）。次に、物体画像データ取得部２４０は、アプリ実行部２３０が出力した物体画像データを取得する（ステップＳ１４）。
【００３７】
その後、金属領域特定部２４５は、物体画像データ取得部２４０が取得した画像を所定の大きさの画像領域へ分割する。次に、金属領域特定部２４５は、分割して得た画像領域の色を代表する代表値と、予め定められた金属の色の基準値とのＲＧＢ（Ｒｅｄ、Ｇｒｅｅｎ、Ｂｌｕｅ）色空間上での距離を、例えば、特許文献２００８−２１２２４号公報に開示された以下の式（１）を用いて算出する。その後、金属領域特定部２４５は、算出した距離が所定の範囲内にある、時針２７２ｈを表す画像領域及び分針２７２ｍを表す画像領域を、所定の金属で構成された物体の部分を表す画像領域（以下単に、金属画像領域）として特定する（ステップＳ１５）。尚、所定の金属は、金であるとして説明するが、これに限定される訳ではなく、銀、銅、プラチナ、ピンクゴールド、イエローゴールド、鉄、ステンレス、又はアルミニウムであっても良い。
【００３８】
Ｌ＝（（Ｒ１−Ｒ２）＾２＋（Ｇ１−Ｇ２）＾２＋（Ｂ１−Ｂ２）＾２）＾（１／２）・・・（１）
但し、記号Ｌは代表値と基準値とのＲＧＢ色空間上の距離を表し、記号Ｒ１、Ｇ１、及びＢ１は分割領域の色を代表する代表値のＲ値、Ｇ値、及びＢ値をそれぞれ表し、記号Ｒ２、Ｇ２、及びＢ２は所定の金属の色の基準値のＲ値、Ｇ値、及びＢ値をそれぞれ表し、記号＾は累乗を表す。尚、画像領域の代表値は、画像領域の色を表す値の平均値を含むが、これに限定される訳ではなく、画像領域を構成する画素で最も多く使用される色を表す値であっても良い。
【００３９】
ステップＳ１５の処理が終了した後に、写込画像合成部２５０は、図７（ｄ）に示す様に、物体画像データで表される時計２７２の時針２７２ｈを表す金属画像領域に、撮影画像データが表す撮影画像の鏡像（つまり、図７（ｂ）の様に表示方向に向かって左側の手が挙ったユーザーではなく、表示方向に向かって右側の手が挙ったユーザーを表す画像）を写込画像２７２ａとして合成する（ステップＳ１６）。同様に、写込画像合成部２５０は、時計２７２の分針２７２ｍを表す金属画像領域に、撮影画像の鏡像を写込画像として合成する。尚、写込画像合成部２５０は、時計２７２の分針２７２ｍを表す金属画像領域に、撮影画像そのもの（つまり、鏡像ではない画像）を写込画像として合成しても良い。
【００４０】
次に、表示制御部２６０は、写込画像合成部２５０によって写込画像２７２ａを合成された二次元画像（合成画像と図示する）を表示するよう画像表示装置２００が備えるＬＣＤを制御する（ステップＳ１７）。
【００４１】
これらの構成によれば、画像表示装置２００の周囲（つまり、設置環境）を二次元画像で表された、例えば、時計２７２等の物体の金属部分を表す画像領域に写り込ませて表示できる。このため、より現実味のある物体を表示できる。
【００４２】
第１の実施形態及び第２の実施形態では、ＣＣＤカメラを備えた画像表示装置について説明した。しかし、ＣＣＤカメラと、ＣＣＤカメラを備えない画像表示装置とで構成される画像表示システムの形態で、本発明に係る機能を実現しても良い。
【００４３】
尚、本発明に係る機能を実現するための構成を予め備えた画処表示装置として提供できることはもとより、プログラムの適用により、既存の画像表示装置を本発明に係る画像表示装置として機能させることもできる。すなわち、上記実施形態で例示した画像表示装置１００及び２００による各機能構成を実現させるための表示制御プログラムを、既存の画像表示装置を制御するコンピュータ（つまり、ＣＰＵなど）が実行できる様に適用することで、本発明に係る画像表示装置１００及び２００として機能させることができる。
【００４４】
この様プログラムの配布方法は任意であり、例えば、メモリカード、ＣＤ−ＲＯＭ、又はＤＶＤ−ＲＯＭなどの記録媒体に格納して配布できる他、インターネットなどの通信媒体を介して配布することもできる。
【００４５】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００４６】
１００，２００・・・画像表示装置、１００ａ・・・ＣＰＵ、１００ｂ・・・ＲＯＭ、１００ｃ・・・ＲＡＭ、１００ｄ・・・ハードディスク、１００ｅ・・・メディアコントローラ、１００ｆ・・・ＬＡＮカード、１００ｇ・・・タッチパネル、１００ｈ・・・ビデオカード、１００ｉ・・・ＬＣＤ、１００ｊ・・・ＨＤＭＩカード、１００ｋ・・・ＣＣＤカメラ、１１０，２１０・・・撮影制御部、１２０，２２０・・・撮影画像データ取得部、１３０，２３０・・・アプリ実行部、１４０，２４０・・・物体画像データ取得部、１５０，２５０・・・写込画像合成部、１６０，２６０・・・表示制御部、１７１，２７２・・・時計、１７１ｇａ，１７１ｇｂ，２７２ａ・・・写込画像、１７１ｐａ・・・時計の上面、１７１ｐｂ・・・時計の側面
【図１】
2011164184.tif 000003
【図２】
2011164184.tif 000004
【図３】
2011164184.tif 000005
【図４】
2011164184.tif 000006
【図５】
2011164184.tif 000007
【図６】
2011164184.tif 000008
【図７】
2011164184.tif 000009